(57)【要約】      （修正有）【課題】第一の容器内に充填されている第一の薬液と、第二の容器内に充填されている第二の薬液または粉末状の薬剤とを、互いに混ざらない一時的な分離状態を保ち、第一の薬液と第二の薬液または粉末状の薬剤とを混合または溶解させる必要があるときには、第一の容器に力を加えてセパレータを第二の容器内に押し込むことで、皮下注射用の注射用薬液の混合作業が完了することができる容器を提供する。【解決手段】第一の容器４０と、第二の容器５４と、セパレータ６０とを備え、第一の容器は上部面４１と下部面４２との間に互いに連通する中空円筒体であり、前記第二の容器は上部面５１が開口状をなし下部面５２が封止面をなしている中空円筒体であって、セパレータは第二の容器内に嵌入されるとともに、第一の容器の下段部が第二の容器の上段部内に嵌入される構成とする。【選択図】図１３
2011072783.tif 000002
【特許請求の範囲】
【請求項１】
上部面と、下部面と、側面とを有している中空円筒体であり、前記上部面と下部面との間は前記側面で囲まれるように一体に連接されており、しかもその両者の間の内部は第一の収容室が互いに連通して形成されており、前記上部面の側面寄りには内側に収縮しているネック部が凹設されており、また、前記側面の中段位置にはストッパフランジが周回するように凸設されており、しかも前記ストッパフランジと前記下部面との間の側面上には位置決めフランジがさらに周回するように凸設されている第一の容器と、
上部面と、下部面と、側面とを有しており、前記上部面は開口状をなし、前記下部面は封止面をなしており、しかも前記上部面と下部面との間は側面で囲まれるように中空円筒体として連接されているうえ、内部には第二の収容室が形成されており、前記第二の収容室の内径は第一の容器の側面の外径よりも概ね大きくなっており、このうち、前記上部面上には間隔をおいて断裂部を有する安全リング５５がさらに設けられており、かつ上部面寄りの第二の収容室の壁面にはストッパフランジがさらに周回するように凸設されており、そして前記ストッパフランジと下部面との間に介在されている第二の収容室の壁面にはリング状係止部がさらに周回するように凸設されているとともに、前記リング状係止部の中央には係止溝がさらに凹設されている第二の容器と、
上部面と、下部面と、側面とを有しており、前記上部面と下部面との間は前記側面で囲まれるように一体に連接されており、このうち、前記上部面および側面はシリコーン材質のソフトラバー層で被覆されており、しかも側面上に位置するソフトラバー層にはフランジ部が外側に向けてさらに周回するように凸設されているセパレータと、を備えたことを特徴とする異なる注射剤を収容可能な容器。
【請求項２】
前記セパレータの上部面上のソフトラバー層の縁の最も外側には、さらに縁突起が上向きに周回するように凸設されていることを特徴とする請求項１に記載の異なる注射剤を収容可能な容器。
【請求項３】
前記セパレータの下部面上にはさらに円形凹部が内向きに凹設されていることを特徴とする請求項１に記載の異なる注射剤を収容可能な容器。
【請求項４】
前記第一の容器の下部面上には、無害の軟質シリコーンラバー製のシールリングがさらに嵌設されており、しかも前記シールリングの軸方向リング体上面には溝７１が凹設されていることを特徴とする請求項１に記載の異なる注射剤を収容可能な容器。
【請求項５】
前記第二の容器におけるリング状係止部の底面位置寄りの第二の収容室の壁面上には、複数のストッパがさらに凸設されており、かつ前記複数のストッパが配列されている位置範囲は、円周の１／４に満たない範囲であることを特徴とする請求項１に記載の異なる注射剤を収容可能な容器。
【請求項６】
前記第一の容器の側面上には雄ねじがさらに設けられ、そして第二の容器の第二の収容室の対向する壁面には雌ねじがさらに設けられていることを特徴とする請求項１に記載の異なる注射剤を収容可能な容器。
【請求項７】
第三の容器と、第２のセパレータとをさらに備えており、前記第三の容器は中空円筒体であって、上部面と、下部面と、側面とを備えており、前記上部面と下部面との間は前記側面で囲まれるように一体に連接されており、しかもその両者の間の内部は第三の収容室が互いに連通して形成されており、そして前記第三の収容室の内径は第一の容器の側面の外径よりも概ね大きくなっており、しかも前記第三の容器の側面の外径は第二の容器の第二の収容室の内径よりも概ね小さくなっており、このうち、前記上部面上には間隔をおいて断裂部を有する安全リングが周回するように設けられており、かつ上部面寄りの第三の収容室の壁面にはストッパフランジがさらに周回するように凸設されており、そして前記ストッパフランジと下部面との間に介在している第三の収容室の壁面上には、リング状係止部がさらに周回するように凸設されるとともに、前記リング状係止部の中央には係止溝がさらに凹設されており、また前記側面の中段位置にはストッパフランジが周回するように凸設され、しかも前記ストッパフランジと下部面との間の側面上には、位置決めフランジがさらに周回するように凸設されており、
前記第２のセパレータもまた上部面と、下部面と、側面とを備えており、前記上部面と下部面との間は前記側面で囲まれるように一体に連接されており、このうち、前記上部面および側面はシリコーン材質のソフトラバー層で被覆されており、しかも側面に位置するソフトラバー層ではフランジ部が外側に向けてさらに周回するように凸設されていることを特徴とする請求項１に記載の異なる注射剤を収容可能な容器。
【発明の詳細な説明】
【技術分野】
【０００１】
本発明は「異なる注射剤を収容可能な容器」に関し、とりわけ二種類以上の異なる注射用薬液を、まず同じ容器内に充填するとともに互いが混ざり合わないような一時的な分離状態を保ち、皮下注射治療用として混ぜ合わせる必要があるときには、注射針を道具とすることなく、この同じ容器にて異なる薬剤の混合を完了するものであり、全過程において無菌で作業して薬剤が汚染されることを回避するのみならず、医療従事者が注射針でけがをする危険性を排除することができる。
【背景技術】
【０００２】
図１ないし図３に示すように、これは医療現場で現在、注射用薬液処方剤に使用される容器構造であって、容器本体１０と、栓２０と、キャップ３０とからなり、このうち、当該容器本体１０は中空円筒体であって、その上面中央には瓶口１１が設けられるとともに、その内部の中空収容室１２に連通しており、瓶口１１寄りの外縁面には内側に収縮しているネック部１３が凹設されている。当該栓２０は無害の高密度弾性ゴム材質製であって、その上面２１の外径は容器本体１０の瓶口１１の外径と同じであり、しかも底部中央には突出部２２が下向きに凸設されており、当該突出部２２は容器本体１０の瓶口１１内に嵌入することができる。当該キャップ３０は金属薄板をプレス成形した円形中空体であって、その上部縁面には別途、プラスチック材質を射出成型した安全キャップ３１が被さるように取り付けられている。注射用薬液処方剤Ｒを容器本体１０の中空収容室１２に充填した後、まず栓２０の突出部２２を容器本体１０の瓶口１１内に嵌入して、さらにキャップ３０を栓２０上に被せるとともに、その底縁周囲の末端を内側に折り曲げて容器本体１０のネック部１３に密着させたとき、栓２０は力を受けて容器本体１０の瓶口１１を完全に密封して、ひいては中空収容室１２内の注射用薬液処方剤Ｒは容器本体１０の外に全く漏れ出さないようになる（図３に示すとおり）。
【０００３】
日本の武田製薬社（Ｔａｋｅｄａ  Ｐｈａｒｍａｃｅｕｔｉｃａｌ  Ｃｏｍｐａｎｙ  Ｌｉｍｉｔｅｄ）が生産する、乳がんおよび前立腺がんを治療する皮下注射製剤（化学名５−ｏｘｏ−ｐｒｏｌｙｌ−ｈｉｓｔｉｄｙｌ−ｔｒｙｐｔｏｐｈｙｌ−ｓｅｒｙｌ−ｔｙｒｏｓｙｌ−Ｄ−ｌｅｕｃｙｌ−ａｒｇｉｎｙｌ−Ｎ−ｅｔｈｙｌ−ｐｒｏｌｉｎａｍｉｄｅ  ｍｏｎｏａｃｅｔａｔｅ）を例にとると、これは黄白色の粉末であり、正式の医師が処方箋を出した後、初めて注射方式で乳がんまたは前立腺がんの患者に施薬するものであって、注射前にまず当該粉末状の酢酸リュープロレリン（Ｌｅｕｐｒｏｒｅｌｉｎ  ａｃｅｔａｔｅ）薬剤を薬液中に溶かした後でなければ、注射器で皮下注射を行うことはできないため、その販売されるパッケージには、粉末状の酢酸リュープロレリン薬剤が容器本体１０に充填封入されている以外に、薬剤溶液が充填されているアンプル瓶が別に添付されている。混合作業の手順は図４ないし図９に示すとおりである。ａ．まず、指でアンプル瓶１の頭部を握って、力を加えて折る（図４に示すとおり）、ｂ．次に注射針３をアンプル瓶１内に挿入して、その内部に充填されている薬剤溶液Ｒ１をシリンジ２内に吸入する（図５に示すとおり）、ｃ．続いて、容器本体１０の安全キャップ３１のうちのいずれかの縁に指を引っ掛けて、さらに上向きに力を加えてキャップ３０を外す（図６に示すとおり）、ｄ．そして注射針３を栓２０に刺入して容器本体１０の中空収容室１２内に挿入するとともに、シリンジ２内の薬剤溶液Ｒ１をすべて中空収容室１２に吐出して、当該中空収容室１２内の粉末状の酢酸リュープロレリン薬剤Ｓを溶解させる（図７に示すとおり）、ｅ．その後注射針３を容器本体１０の外に抜き出して、容器本体１０を数回振って十分に混ぜ合わせることで、注射用薬液Ｍ１として完全に溶解される（図８に示すとおり）、ｆ．最後に、再度注射針３を当該容器本体１０に挿入し当該注射用薬液Ｍ１を吸入して、患者への皮下注射を行うことができるようになる（図９に示すとおり）。
【発明の概要】
【発明が解決しようとする課題】
【０００４】
上記した作業過程中から分かるように、手順ｂおよびｃではいずれも注射針３およびシリンジ２を薬剤溶解の作業道具としていることから、医療従事者それぞれの注意力および熟練度の違いにより、外部の異物または細菌が薬剤溶液Ｒ１または粉末状の酢酸リュープロレリン薬剤Ｓに混入して汚染されてしまう危険性があり、もし些かでも不注意があれば、全過程において無菌作業の要求を達成できなくなる以外に、手順ｂおよびｄの作業過程においても、医療従事者が注射針でけがをする恐れがある。
【０００５】
さらに、当該薬剤溶液Ｒ１が充填されているアンプル瓶１および粉末状の酢酸リュープロレリン薬剤Ｓが充填されている容器本体１０において、その両者の製造時期は決して同一ではなく、薬品メーカが計画した製造時期に製造されているため、各々の有効期限も異なりうる。よって医療機関が購入して保管するときには両者の有効期限を別に管理しなければならず、場合によっては、医療従事者が混ぜ合わせて溶解させる作業の前に、有効期限内であるか否かを特に肉眼にて識別しなければならない。もし期限が過ぎていた場合には、この皮下注射の注射用薬液Ｍ１は有効期限が過ぎているために、治療効果がなくなる。
【０００６】
また図１０ないし図１２に示すように、その他疾病を治療するある混合型注射用製剤において、第一の薬液Ｒ２および第二の薬液Ｒ３は二つの容器本体１０ａおよび１０ｂ内にそれぞれ充填されており、皮下注射前の混合作業の手順は次のとおりである。ａ．まず注射針３を、第一の薬液Ｒ２が充填されている容器本体１０ａの中空収容室１２ａ内に挿入するとともに、当該第一の薬液Ｒ２のすべてをシリンジ２内に吸入し、その後容器本体１０ａ（図１０に示すとおり）から抜き出し、ｂ．再度注射針３を容器本体１０ｂの中空収容室１２ｂ内に挿入するとともに、シリンジ２内の第一の薬液Ｒ２をすべて吐出して、さらに容器本体１０ｂ（図１１に示すとおり）から抜き出して、振ることでこの第一の薬液Ｒ２と第二の薬液Ｒ３とを中空収容室１２ｂ内で十分に混ぜ合わせて注射用薬液Ｍ２を得て（図１２に示すとおり）、ｃ．最後に再度注射針３を容器本体１０ｂの中空収容室１２ｂ内に挿入することで、当該注射用薬液Ｍ２を吸入して患者への皮下注射を行うことができるようになる。前記作業過程においても注射針３およびシリンジ２を二種類の薬液を混合する道具としていることから、医療従事者それぞれの注意力および熟練度の違いにより、不注意にて注射針３が外部の異物に触れたり、細菌が付着することで第一の薬液Ｒ２または第二の薬液Ｒ３が汚染してしまう危険性がある。
【０００７】
さらには、当該第一の薬液Ｒ２および第二の薬液Ｒ３はいずれも単独で各々の容器本体１０ａおよび１０ｂ内に充填されており、しかも当該容器本体１０ａおよび１０ｂの各々の瓶口１１ａおよび１１ｂ上には、各々一つの栓２０およびキャップ３０を使用しなければならないので、医療機関で購入する際には栓２０およびキャップ３０の費用も支払うことになり、これを毎日・毎年の全世界での使用量の合計を計算していくと、その総支出額は膨大となってしまう。また、使用後に発生する栓２０およびキャップ３０の廃棄量についても環境保護において余分な負担が発生してしまう。
【０００８】
よって、上記した従来の各々の欠点を如何に解決するかということは、緩怠が許されるものではなく、本発明者はこれに鑑みて積極的に研究を行い、ついに本発明を完成させた。
【課題を解決するための手段】
【０００９】
本発明の主な目的は、第一の容器と、第二の容器と、セパレータとを備えた「異なる注射剤を収容可能な容器」を提供するものであり、前記第一の容器は上部面と下部面との間に互いに連通する中空円筒体であり、前記第二の容器は上部面が開口状をなし下部面が封止面をなしている中空円筒体であって、前記セパレータは第二の容器内に嵌入されるとともに、前記第一の容器の下段部が第二の容器の上段部内に嵌入されている。セパレータで仕切ることにより、第一の容器内に充填されている第一の薬液と、第二の容器内に充填されている第二の薬液または粉末状の薬剤とを、互いに混ざらない一時的な分離状態を保ち、第一の薬液と第二の薬液または粉末状の薬剤とを混合または溶解させる必要があるときには、第一の容器に力を加えてセパレータを第二の容器内に押し込むことで、皮下注射用の注射用薬液の混合作業が完了するものであり、その作業過程において注射針およびシリンジを、薬剤を混合する道具とする必要はなく、全過程にて無菌で作業する要求を達成して薬剤が汚染されることを回避し、さらには医療従事者が注射針でけがをする危険性を排除することができる。
【００１０】
本発明の他の目的は、第一の容器と第二の容器との間が、間隔をおいて断裂部を有する安全リングで連結固定されているので、第一の薬液および第二の薬液または粉末状の薬剤をそれぞれ充填した後には、従来の栓およびキャップ組のみで封止の効果を達成できるので、栓およびキャップの使用量およびその支出コストを低減するとともに、環境保護における負担を軽減することができる。
【図面の簡単な説明】
【００１１】
【図１】従来の注射用薬液容器の立体分解図である。
【図２】従来の注射用薬液容器の組み立て図である。
【図３】図２における３−３断面線での断面図である。
【図４】薬液が充填されている従来のアンプル瓶である。
【図５】注射針でアンプル瓶内の薬液を吸引するときの概略図である。
【図６】従来の粉末状薬剤容器のキャップを開けるときの概略図である。
【図７】従来における注射薬液を混合・溶解する作業の概略図（一）である。
【図８】従来における注射薬液を混合・溶解する作業の概略図（二）である。
【図９】従来における注射薬液を混合・溶解する作業の概略図（三）である。
【図１０】従来における注射薬液を混合・溶解する作業の概略図（四）である。
【図１１】従来における注射薬液を混合・溶解する作業の概略図（五）である。
【図１２】従来における混合後の注射用薬液を注射針で吸入するときの概略図である。
【図１３】本発明の立体分解図である。
【図１４】図１３における１４−１４断面線での断面図である。
【図１５】図１３における１５−１５断面線での断面図である。
【図１６】図１３における１６−１６断面線での断面図である。
【図１７】本発明の組み立て、および薬液を充填する作業の概略図（一）である。
【図１８】本発明の組み立て、および薬液を充填する作業の概略図（二）である。
【図１９】本発明の組み立て、および薬液を充填する作業の概略図（三）である。
【図２０】本発明の組み立て、および薬液を充填する作業の概略図（四）である。
【図２１】本発明の組み立て、および薬液を充填する作業の概略図（五）である。
【図２２】本発明の取り扱い使用作業の概略図（一）である。
【図２３】本発明の取り扱い使用作業の概略図（二）である。
【図２４】本発明の取り扱い使用作業の概略図（三）である。
【図２５】本発明の取り扱い使用作業の概略図（四）である。
【図２６】本発明の取り扱い使用作業の概略図（五）である。
【図２７】本発明におけるセパレータの他の実施例の断面概略図である。
【図２８】本発明における他の実施例の組み立て断面概略図である。
【図２９】本発明の他の実施例におけるシールリングの断面概略図である。
【図３０】本発明における第二の容器の他の実施例の断面概略図である。
【図３１】図３０における３０−３０断面線での断面図である。
【図３２】本発明における第二の容器の他の実施例の組み立て断面図である。
【図３３】本発明におけるセパレータのさらに他の実施例の断面概略図である。
【図３４】本発明におけるセパレータのさらに他の実施例および第二の容器の組み立て断面図である。
【図３５】本発明のさらに他の実施例の分解断面概略図である。
【図３６】本発明のさらに他の実施例の組み立て断面概略図である。
【図３７】本発明のまたさらに他の実施例における第三の容器の断面概略図である。
【図３８】本発明のまたさらに他の実施例における第二のセパレータの概略図である。
【図３９】本発明のまたさらに他の実施例における立体組み立て図である。
【図４０】図３９における４０−４０断面線での断面図である。
【発明を実施するための形態】
【００１２】
図１３ないし図１６および図２１に示すものを参照されたい。本発明の「異なる注射剤を収容可能な容器」は第一の容器４０と、第二の容器５０と、セパレータ６０とを備えている。
【００１３】
第一の容器４０は上部面４１と、下部面４２と、側面４３とを有している中空円筒体であり、前記上部面４１と下部面４２との間は前記側面４３で囲まれるように一体に連接されており、しかもその両者の間の内部は第一の収容室４４が互いに連通して形成されており、このうち、前記第一の収容室４４と上部面４１との接続部の開口部４５は栓２０の嵌入用とされるものであり、そして上部面４１の側面４３寄りには内側に収縮しているネック部４６がさらに凹設されており、キャップ３０を栓２０に被嵌した後、さらにその底縁周囲末端を内側に折り曲げて前記第一の容器４０のネック部４６上に密着させ、栓２０は前記第一の収容室４４の開口部４５上を完全に密封することができ（図２１に示すとおり）、また、前記側面４３の中段位置にはストッパフランジ４７が周回するように凸設されており、しかもストッパフランジ４７と下部面４２との間の側面４３上には位置決めフランジ４８がさらに周回するように凸設されている。
【００１４】
第二の容器５０は、上部面５１と、下部面５２と、側面５３とを有しており、前記上部面５１は開口状をなし、前記下部面５２は封止面をなしており、しかも前記上部面５１と下部面５２との間は側面５３で囲まれるように中空円筒体として連接されているうえ、内部には第二の収容室５４が形成されており、そして前記第二の収容室５４の内径は第一の容器４０の側面４３の外径よりも概ね大きくなっており、このうち、前記上部面５１上には間隔をおいて断裂部を有する安全リング５５がさらに周回するように設けられており、かつ上部面５１寄りの第二の収容室５４の壁面にはストッパフランジ５６がさらに周回するように凸設されており、そして前記ストッパフランジ５６と下部面５２との間に介在している第二の収容室５４の壁面にはリング状係止部５７がさらに凸設されているとともに、前記リング状係止部５７の中央には係止溝５８がさらに凹設されている。
【００１５】
セパレータ６０もまた上部面６１と、下部面６２と、側面６３とを有しており、前記上部面６１と下部面６２との間は前記側面６３で囲まれるように一体に連接されており、このうち、前記上部面６１および側面６３はシリコーン材質のソフトラバー層６４で被覆されており、しかも側面６３上に位置するソフトラバー層６４にはフランジ部６５が外側に向けてさらに周回するように凸設されている。
【００１６】
図１７ないし図２１に示すように、本発明の組み立ておよび充填の手順は以下のとおりである。
【００１７】
ａ．第一の薬液Ｒ２を第二の容器５０の第二の収容室５４内に充填する（図１７に示すとおり）。
【００１８】
ｂ．セパレータ６０の下部面６２を第二の容器５０の下部面５２に向けて力を加えて、さらにセパレータ６０の側面６３を第二の収容室５４の内の壁面上のリング状係止部５７内に嵌入するが、このとき、前記セパレータ６０中における側面６３の外表面のソフトラバー層６４のフランジ部６５は、前記リング状係止部５７の係止溝５８と互いに密着して漏れ防止の作用をもたらす（図１８に示すとおり）。
【００１９】
ｃ．第一の容器４０の下部面４２を第二の容器５０の上部面５１から貫通するようにセパレータ６０の上部面６１に当接させるが、このとき、第一の容器４０の側面４３上の位置決めフランジ４８が、第二の容器５０中における第二の収容室５４の内の壁面上のストッパフランジ５６と互いにしっかりと係着した状態となる（図１９および図２１中における左側拡大図に示すとおり）。
【００２０】
ｄ．続いて、第二の薬液Ｒ３を第一の容器４０の開口部４５から第一の収容室４４内に充填するが、このとき、第一の容器４０の下部面４２はセパレータ６０中における上部面６１上のソフトラバー層６４に完全に接合しているので、第一の収容室４４の外部に漏れ出ることはない（図２０中における右側拡大図に示すとおり）。
【００２１】
ｅ．最後に、順次、栓２０を第一の容器４０の上部面４１の開口部４５内に嵌入するとともに、キャップ３０を栓２０に被嵌し、さらにその底縁周囲末端を内側に折り曲げて前記第一の容器４０のネック部４６上に密着させることで、充填・パッキング組み立ての全過程が完了する（図２１に示すとおり）。
【００２２】
さらに、図２２ないし図２６に示すように、皮下注射を行う場合、まず第二の容器５０の上部面５１の安全リング５５を切り離すと、第一の容器４０の側面４３上のストッパフランジ４７と第二の容器５０の上部面５１との間に、前記安全リング５５の高さに相当する空間隙間ができる（図２２に示すとおり）。このとき、キャップ３０に力を加えて押下すると、第一の容器４０の下部面４２がセパレータ６０を押し動かして、前記セパレータ６０の側面６３が第二の容器５０中における第二の収容室５４のリング状係止部５７から外れて（図２３に示すとおり）、さらには完全に外れた後に全体が第二の容器５０の５４内に落下し、かつこれに伴い第一の収容室４４内に充填されていた第二の薬液Ｒ３が、第二の収容室５４内に充填されていた第一の薬液Ｒ２と混ざり合う（図２４に示すとおり）。第一の薬液Ｒ２と第二の薬液Ｒ３とが注射用薬液Ｍ２として十分にそして完全に混ざり合った後、指をキャップ３０上の安全キャップ３１のいずれかの縁に引っ掛けて、上向きに力を加えてキャップ３０を外し（図２５に示すとおり）、そして注射針３を栓２０に刺入し第一の容器４０の第一の収容室４４内に挿入して、注射用薬液Ｍ２を吸引することで、皮下注射の準備ができる（図２６に示すとおり）。
【００２３】
上記第一の薬液Ｒ２および第二の薬液Ｒ３は同時に第二の容器５０および第一の容器４０内に充填され、その両者の薬剤の有効期限は同日となることから、一方が期限切れになっているが、他方はまだ期限が来ていないという不具合はなくなるため、薬剤の期限切れにより破棄しなければならないという意味のない無駄を完全になくすことができると同時に、医療機関でのこの部分におけるコストの損失を抑えて、さらには将来的に採用したいという要望を高めることができる。さらには、前記第一の薬液Ｒ２と第二の薬液Ｒ３との混合作業過程はいずれも第一の容器４０および第二の容器５０内部で行われるため、全過程において無菌作業の要求を達成して、薬剤が汚染されることも回避でき、しかも注射針・シリンジまたはその他器具を、薬剤を混合する道具とする必要はなくなる。したがって、医療従事者が注射針でけがをするという危険性は根絶され、従来の薬剤混合の作業方式に比べても、高い安全性を備えている。
【００２４】
図２７に示すように、セパレータ６０の他の実施例において、前記セパレータ６０の上部面６１上のソフトラバー層６４の縁の最も外側には、さらに縁突起６６が上向きに周回するように凸設されており（図２７中における拡大図に示すとおり）、これは第一の容器４０の下部面４２がセパレータ６０のソフトラバー層６４に接合した後、より一層密着して漏れ防止の作用と効果をもたらす。
【００２５】
図２８および図２９に示すように、本発明の他の実施例おいて、前記第一の容器４０の下部面４２上には、無害の軟質シリコーンラバー製のシールリング７０がさらに嵌設されており、しかも前記シールリング７０の軸方向リング体上面には、第一の容器４０の下部面４２を嵌入させるための溝７１が凹設されるとともに、セパレータ６０の上部面６１上に接合した後、より一層密着して漏れ防止の効果をもたらす（図２８中における拡大図に示すとおり）。
【００２６】
さらに図３０ないし図３２に示すように、本発明における第二の容器５０の他の実施例において、第二の容器５０におけるリング状係止部５７の底面位置寄りの第二の収容室５４の壁面上には、複数のストッパ５９が凸設されており、かつ前記複数のストッパ５９が配列されている位置範囲は、円周の１／４に満たない範囲である（図３１に示すように）。第一の容器４０の下部面４２が力を受けてセパレータ６０の上部面６１を押下したとき、この複数のストッパ５９とセパレータ６０の下部面６２とが互いに接触する位置にて、前記セパレータ６０における対向する側にあたかも持ち上げて開くような力の支点が生じるので（図３２に示すように）、セパレータ６０がリング状係止部５７での係止から簡単にスムーズに解放されるようになる。
【００２７】
また図３３および図３４に示すように、本発明におけるセパレータ６０のさらに他の実施例において、前記セパレータ６０の下部面６２上にはさらに円形凹部６７が内向きに凹設されており、前記円形凹部６７の空間が、セパレータ６０の側面６３と第二の容器５０のリング状係止部５７とを互いに係合または外す動作において、弾性的に内側に縮む作用空間を提供しており、作業のさらなる省力効果をもたらす。
【００２８】
図３５および図３６に示すように、本発明のさらに他の実施例において、第一の容器４０の側面４３上には雄ねじ４９が、そして第二の容器５０の第二の収容室５４の対向する壁面には雌ねじ５４１がそれぞれ設けられており、第一の薬液Ｒ２と第二の薬液Ｒ３との混合作業時に、前記雄ねじ４９と雌ねじ５４１の両者の螺合作用により、作業のさらなる省力効果を達成する。
【００２９】
続いて図３７ないし図４０に示すように、本発明のまたさらに他の実施例において、第三の容器８０と、第２のセパレータ９０とをさらに備えており、前記第三の容器８０は中空円筒体であって、上部面８１と、下部面８２と、側面８３とを備えており、前記上部面８１と下部面８２との間は前記側面８３で囲まれるように一体に連接されており、しかもその両者の間の内部は第三の収容室８４が互いに連通して形成されており、そして前記第三の収容室８４の内径は第一の容器４０の側面４３の外径よりも概ね大きくなっており、しかも前記第三の容器８０の側面８３の外径は第二の容器５０の第二の収容室５４の内径よりも概ね小さくなっている。このうち、前記上部面８１上には間隔をおいて断裂部を有する安全リング８５が周回するように設けられており、かつ上部面８１寄りの第三の収容室８４の壁面にはストッパフランジ８６がさらに周回するように凸設されており、そして前記ストッパフランジ８６と下部面８２との間に介在している第三の収容室８４の壁面上には、リング状係止部８７がさらに周回するように凸設されるとともに、前記リング状係止部８７の中央には係止溝８７１が凹設されている。また前記側面８３の中段位置にはストッパフランジ８８が周回するように凸設され、しかも前記ストッパフランジ８８と下部面８２との間の側面８３上には、位置決めフランジ８９がさらに周回するように凸設されている。前記第２のセパレータ９０もまた上部面９１と、下部面９２と、側面９３とを備えており、前記上部面９１と下部面９２との間は前記側面９３で囲まれるように一体に連接されており、このうち、前記上部面９１および側面９３はシリコーン材質のソフトラバー層９４で被覆されており、しかも側面９３に位置するソフトラバー層９４ではフランジ部９５が外側に向けてさらに周回するように凸設されている。
【００３０】
上記本発明のさらに他の実施例の組み立ておよび薬剤を充填する方式は前記した本発明と同じであるので別途説明しないが、第三の容器８０の第三の収容室８４に第三の薬液Ｒ４をさらに充填できることにより、三種類の異なる薬液を同じ容器内に充填することができ、しかも従来の栓２０およびキャップ３０組を使用するだけでパッキングを完了する効果が達成できるので、栓２０およびキャップ３０の使用量を節約する上でより経済的で、しかも環境保護における負担をより軽減することができる。
【符号の説明】
【００３１】
１            アンプル瓶
２            シリンジ
３            注射針
１０、１０ａ、１０ｂ    容器本体
１１、１１ａ、１１ｂ    瓶口
１２、１２ａ、１２ｂ    中空収容室
１３            ネック部
２０            栓
２１            上面
２２            突出部
３０            キャップ
３１            安全キャップ
４０            第一の容器
４１            上部面
４２            下部面
４３            側面
４４            第一の収容室
４５            開口部
４６            ネック部
４７            ストッパフランジ
４８            位置決めフランジ
４９            雄ねじ
５０            第二の容器
５１            上部面
５２            下部面
５３            側面
５４            第二の収容室
５４１            雌ねじ
５５            安全リング
５６            ストッパフランジ
５７            リング状係止部
５８            係止溝
５９            ストッパ
６０            セパレータ
６１            上部面
６２            下部面
６３            側面
６４            ソフトラバー層
６５            フランジ部
７０            シールリング
７１            溝
８０            第三の容器
８１            上部面
８２            下部面
８３            側面
８４            第三の収容室
８５            安全リング
８６            ストッパフランジ
８７            リング状係止部
８７１            係止溝
８８            ストッパフランジ
８９            位置決めフランジ
９０            第２のセパレータ
９１            上部面
９２            下部面
９３            側面
９４            ソフトラバー層
９５            フランジ部
Ｍ１、Ｍ２        注射用薬液
Ｒ            注射用薬液処方剤
Ｒ１            薬剤溶液
Ｒ２            第一の薬液
Ｒ３            第二の薬液
Ｒ４            第三の薬液
【図１】
2011072783.tif 000003
【図２】
2011072783.tif 000004
【図３】
2011072783.tif 000005
【図４】
2011072783.tif 000006
【図５】
2011072783.tif 000007
【図６】
2011072783.tif 000008
【図７】
2011072783.tif 000009
【図８】
2011072783.tif 000010
【図９】
2011072783.tif 000011
【図１０】
2011072783.tif 000012
【図１１】
2011072783.tif 000013
【図１２】
2011072783.tif 000014
【図１３】
2011072783.tif 000015
【図１４】
2011072783.tif 000016
【図１５】
2011072783.tif 000017
【図１６】
2011072783.tif 000018
【図１７】
2011072783.tif 000019
【図１８】
2011072783.tif 000020
【図１９】
2011072783.tif 000021
【図２０】
2011072783.tif 000022
【図２１】
2011072783.tif 000023
【図２２】
2011072783.tif 000024
【図２３】
2011072783.tif 000025
【図２４】
2011072783.tif 000026
【図２５】
2011072783.tif 000027
【図２６】
2011072783.tif 000028
【図２７】
2011072783.tif 000029
【図２８】
2011072783.tif 000030
【図２９】
2011072783.tif 000031
【図３０】
2011072783.tif 000032
【図３１】
2011072783.tif 000033
【図３２】
2011072783.tif 000034
【図３３】
2011072783.tif 000035
【図３４】
2011072783.tif 000036
【図３５】
2011072783.tif 000037
【図３６】
2011072783.tif 000038
【図３７】
2011072783.tif 000039
【図３８】
2011072783.tif 000040
【図３９】
2011072783.tif 000041
【図４０】
2011072783.tif 000042